(57)【要約】      （修正有）【課題】花崗斑岩の存在する場所を水源とするのと同等な濾過水を簡単且つ低コストで多くの人に利用可能とする濾過水装置を提供する。【解決手段】蓋付きの箱型容器で構成された水槽２の底部に礫状に破砕された花崗斑岩３を敷き詰めた濾過層４を設ける。水槽２の上部から給水管５により浄水を水槽２内に供給する。給水管５にはボールタップ６、開閉弁７及び連結ロッド８からなる水位調整機構が設けられ、水槽２の水位を一定水位に保つ。水槽２内の底部側から外部下方に濾過水取出し管９が設けられ、取り出し先端側に取り付けた蛇口１０から濾過水１１を出す。【選択図】図１
0003136743.tif 000002
【実用新案登録請求の範囲】
【請求項１】
蓋付きの箱型容器で構成された水槽と、
前記水槽の底部に礫状に破砕された花崗斑岩を敷き詰めた濾過層と、
前記水槽の上部から浄水を水槽内に供給する給水管と、
前記水槽の水位を一定水位に保つように前記給水管による浄水供給を制御する水位調整機構と、
前記水槽内の底部側から外部下方に取り出され、取り出し先端側に蛇口を取り付けた濾過水取出し管と、
を備えたことを特徴とする濾過水装置。
【請求項２】
請求項１記載の濾過水装置に於いて、前記濾過層に加え、花崗斑岩の岩塊を浸漬状態で前記水槽に収納したことを特徴とする濾過水装置。
【請求項３】
請求項１記載の濾過水装置に於いて、前記濾過水取出し管は、前記濾過層の中に取入れ口が位置するように前記水槽内の底部に取り付けられたことを特徴とする濾過水装置。
【請求項４】
請求項１記載の濾過水装置に於いて、前記水位調整機構は、
水面に浮遊するフロートと、
前記給水管に装着された開閉弁と、
前記フロートを一端に連結すると共に他端を前記開閉弁の回転軸に連結し、前記フローとが規定水位にあるとき前記開閉弁を閉鎖し、前記フロートが規定水位から下るときに前記開閉弁の回転軸を開く方向に回動し、前記フロートが規定水位に戻るときに前記開閉弁の回転軸を閉じる方向に回動させる連結ロッドと、
を備えたことを特徴とする濾過水装置。
【請求項５】
請求項１記載の濾過水装置に於いて、前記濾過水取出し管の前記水槽内の取入れ口に、前記濾過層の中に分布配置され管壁に複数の集水穴を形成した集水管を連結したことを特徴とする濾過水装置。
【考案の詳細な説明】
【技術分野】
【０００１】
本考案は、浄水を波動石として知られた花崗斑岩を濾過層に用いて濾過して飲料水として提供する簡易据え置き型の濾過水装置に関する。
【背景技術】
【０００２】
近年、岩盤浴を提供する施設が急速に普及しており、このような岩盤浴施設にあっては、遠赤外線放射効率の高い例えば角閃石として知られた岩手県遠野産の花崗斑岩を薄い岩石板に加工して床に敷き詰め、熱水のパイプ還流により例えば４５度程度に加熱し、且つ湿度を９０％以上に保ち、岩石板の上に寝そべる事により、岩石板から放射される遠赤外線による温熱作用により発汗を促し、多量の汗をかくことで体内に蓄積されてきた老廃物や毒素を体外に排出し、石鹸を使用しなくとも、入浴後にはタオルで拭くだけでさっぱり感が得られる。
【特許文献１】特開２００４−２６１５４７号公報
【特許文献２】実用新案登録第３１００５９２号公報
【考案の開示】
【考案が解決しようとする課題】
【０００３】
ところで、岩盤浴に使用される花崗斑岩が天然に存在する地域にあっては、その場所から出る湧き水を飲料水に利用すると健康によいことが経験的且つ慣習的に知られているが、現在における飲料水の供給は、当然に、水道施設に依存しており、花崗斑岩の存在する場所を水源とするような水道施設の構築は現実的でなく、健康によいことは分かっていても、その利用が普及するには至っていない。
【０００４】
本考案は、このような状況に鑑みてなされたもので、花崗斑岩の存在する場所を水源とすると同等な濾過水を簡単且つ低コストで多くの人に利用可能とする濾過水装置を提供することを目的とする。
【課題を解決するための手段】
【０００５】
本考案は濾過水装置を提供するものであり、
蓋付きの箱型容器で構成された水槽と、
水槽の底部に礫状に破砕された花崗斑岩を敷き詰めた濾過層と、
水槽の上部から浄水を水槽内に供給する給水管と、
水槽の水位を一定水位に保つように給水管による浄水供給を制御する水位調整機構と、
水槽内の底部側から外部下方に取り出され、取り出し先端側に蛇口を取り付けた濾過の水取出し管と、
を備えたことを特徴とする。
【０００６】
ここで、濾過層に加え、花崗斑岩の岩塊を浸漬状態で水槽に収納することが望ましい。
【０００７】
濾過水取出し管は、濾過層の中に取入れ口が位置するように水槽内の底部に取り付けられる。
【０００８】
また水位調整機構は、水面に浮遊するフロートと、給水管に装着された開閉弁と、  フロートを一端に連結すると共に他端を開閉弁の回転軸に連結し、フロートが規定水位にあるとき開閉弁を閉鎖し、フロートが規定水位から下るときに開閉弁の回転軸を開く方向に回動し、フロートが規定水位に戻るときに開閉弁の回転軸を閉じる方向に回動させる連結ロッドと備える。
【０００９】
濾過水取出し管の水槽内の取入れ口に、濾過層の中に分散配置され管壁に複数の集水穴を形成した集水管を連結する。集水管は濾過層の中に枝状又は櫛歯上に配管される。
【考案の効果】
【００１０】
本考案によれば、礫状に破砕された花崗斑岩を敷き詰めた濾過層をもつ水槽に水道水などの浄水を一定水位を保つように常に滞留させ、滞留している水道水に花崗斑岩を浸漬した状態とすることで、花崗斑岩を水に浸漬した場合に得られる抗菌作用、遠赤外線放射作用などを利用して滞留している浄水を更に浄化し、花崗斑岩が天然に存在する場所を水源とする浄水とほぼ同等な飲料に適した濾過水を、簡単且つ広範に提供して活用することを可能とし、健康維持と改善が期待できる。
【考案を実施するための最良の形態】
【００１１】
図１は本考案による濾過水装置の実施形態を示した説明図である。図１において、濾過水装置１は蓋付きの箱型容器で構成された水槽２の底部に、礫状に破砕された例えば角閃石として知られた花崗斑岩３を敷き詰めて濾過層４を形成している。濾過層４の深さとしては、水槽底部かに水面までの高さの１／３以上とすることが、十分な濾過作用を果たすために望ましい。更に、濾過層３に加え、花崗斑岩の岩塊３ａを浸漬状態で水槽２に収納している。
【００１２】
本実施形態で濾過層４として使用する花崗斑岩３は、花崗岩と同じ化学成分の完晶質の岩石であり、長石・石英・雲母などが比較的大きな斑晶を示し、斑晶とはガラス質または細粒の結晶からなる石基の中に散在する大きな結晶のことで、火山岩にしばしばみられる。
【００１３】
このような花崗斑岩３としては、岩手県遠野地方で産出される角閃石が有名である。角閃石は、直閃石・透閃石・陽起石・普通角閃石・藍閃石などの総称として使われるほか、普通角閃石を指すこともあり、カルシウム・マグネシウム・アルミニウムなどを含む複雑なケイ酸塩鉱物で単斜晶系であり、暗灰緑色ないし灰褐色で、柱状を呈し、結晶がある特定の方向に沿って割れたり、はがれたりすることで、平滑な面を現す現象である劈開（へきかい）が発達している造岩鉱物として知られている。
【００１４】
水槽２の上部には浄水として水道水を水槽２内に供給する給水管５が取り付けられる給水管５には、水槽２の水位を一定水位に保つように水道水の供給を調整する水位調整機構が設けられている。
【００１５】
水位調整機構は、水面に浮遊するフロートとして機能するボールタップ６、給水管５に装着された開閉弁７及びボールタップ６と開閉弁７の弁開閉用の回転軸とを連結する連結ロッド８で構成される。
【００１６】
水位調整は、ボールタップ６が規定水位にあるとき開閉弁７を閉鎖しており、ボールタップ６が規定水位から下るときに連結ロッド８を介して開閉弁７の回転軸を開く方向に回動して水道水を供給し、水位を規定水位に戻す。ボールタップ６が規定水位に戻るときに連結ロッド８を介して開閉弁7の回転軸を閉じる方向に回動させる。
【００１７】
水槽２の底部内側から外部下方に濾過水取出し管９が取り出され、取り出し先端側に蛇口１０を取り付けて濾過水１１を出せるようにしている。蛇口１０の下には排水管１３を接続した洗面台などの水受け１２が配置されている。
【００１８】
水槽２の底部側に取り付けた濾過水取出し管９は、水槽２の底部に敷き詰められた濾過層３の中に取入れ口９ａが位置するように取り付けられ、これによって水槽底面に溜まる花崗斑岩３から剥離した微小な岩石粒などが取入れ口９ａに直接入らないようにしている。
【００１９】
また本実施形態の濾過水装置１は、岩盤浴施設などに設置され、例えば肩の高さ程度の台座１４に固定設置して利用に供する。
【００２０】
本実施形態により飲料水として供給される濾過水は食品衛生法の水質基準試験に合格しなければならない。図２に本実施形態により得られた濾過水の食品衛生法水質基準試験の試験成績書を示す。図２の試験成績書によれば、試験結果は試験項目の全てについて、水質基準をクリアしており、水質基準に合格している。
【００２１】
図３乃至図６は本実施形態により別の水道水から得られた濾過水の「浸漬水の食品衛生法水質基準試験」の試験結果を示す。この場合にも、試験結果は試験項目の全てについて、水質基準をクリアしており、水質基準に合格している。
【００２２】
また、本実施形態の濾過層４に使用している花崗斑岩３は、抗菌力試験成績として、当初の大腸菌数２００／ｍｌにつき、花崗斑岩を２４時間浸漬した場合に３／ｍｌとなり、同様に、黄色ブドウ状球菌の数についても、当初の３００／ｍｌから１０以下ｍｌとなることが報告されている。
【００２３】
更に、ミネラル溶出試験においても、カルシウム、マグネシウム、ナトリウム、カリウムの溶出が報告されている。
【００２４】
本実施形態の利用に際しては、濾過水の水質を継続的に維持するため、例えば一日一回、水道水の給水を止めて水槽の水を全て排出する操作を行い、望ましくはこの操作を複数回を行い、また水槽内の汚れ度合いを常に監視し、定期的に水槽及び濾過層の洗浄を行う。更に、定期的に水質検査を継続して行うことも必要である。
【００２５】
図７は本考案の他の実施形態であり、図７（Ａ）に示すように、濾過水取出し管９の水槽内の取入れ口９ａに、濾過層４の中に分布配置された集水管１５を連結している。集水管１５は図７（Ｂ）に示すように、水槽２の底部に例えば櫛歯状に分布配置されており、管壁に多数の集水穴１６を形成している。
【００２６】
このように濾過層４内に分布配置した集水管１５を設けることで、図１のように１ケ所の取入れ口９ａで濾過水を取り出す場合に比べ、濾過槽４の広い分散した位置の各々から濾過水を集めて取り出すことができ、濾過層４の全域を利用した濾過作用を実現でき、水槽内に局部的に滞留して水の取出しが不均一となる状況を回避できる利点がある。なお、集水管１５の代わりに、集水枡を濾過層４内に分布配置しても同様の作用と利点が得られる。
【００２７】
尚、上記の実施形態にあっては、水槽内の濾過層４に使用する花崗斑岩３を礫状に破砕して敷き詰めているが、そのサイズは必要に応じて、更に細かくしても良いし、逆に岩石の塊として入れても良く、或いは、粒度の異なる花崗斑岩３を混ぜ合わせた砂礫を用いても良い。
【００２８】
また上記の実施形態にあっては、水槽に供給した浄水を滞留させているが、ポンプなどを使用して水槽内で濾過層４を水流が追加するように強制循環させたり、浄化してた空気泡を送り込むようにしても良い。
【図面の簡単な説明】
【００２９】
【図１】本考案による濾過水装置の実施形態を示した説明図
【図２】本実施形態により水道水から得られた濾過水の食品衛生法の水質基準試験による試験成績書を示した説明図
【図３】本実施形態により別の水道水から得られた濾過水の食品衛生法の水質基準試験による試験報告書の表紙を示した説明図
【図４】図３に続く試験報告書の１／３ページを示した説明図
【図５】図４に続く試験報告書の２／３ページを示した説明図
【図６】図５に続く試験報告書の３／３ページを示した説明図
【図７】本考案による濾過水装置の他の実施形態を示した説明図
【符号の説明】
【００３０】
１：濾過水装置
２：水槽
３：花崗斑岩
３ａ：岩塊
４：濾過層
５：給水管
６：ボールタップ
７：開閉弁
８：連結ロッド
９：濾過水取出し管
９ａ：取入れ口
１０：蛇口
１１：濾過水
１２：水受け
１３：配水管
１４：台座
１５：集水管
１６：集水穴
【図１】
0003136743.tif 000003
【図２】
0003136743.tif 000004
【図３】
0003136743.tif 000005
【図４】
0003136743.tif 000006
【図５】
0003136743.tif 000007
【図６】
0003136743.tif 000008
【図７】
0003136743.tif 000009
【手続補正書】
【提出日】平成19年8月3日(2007.8.3)
【手続補正１】
【補正対象書類名】図面
【補正対象項目名】図２
【補正方法】変更
【補正の内容】
【図２】
0003136743.tif 000010
【手続補正２】
【補正対象書類名】図面
【補正対象項目名】図３
【補正方法】変更
【補正の内容】
【図３】
0003136743.tif 000011
【手続補正３】
【補正対象書類名】図面
【補正対象項目名】図４
【補正方法】変更
【補正の内容】
【図４】
0003136743.tif 000012
【手続補正４】
【補正対象書類名】図面
【補正対象項目名】図５
【補正方法】変更
【補正の内容】
【図５】
0003136743.tif 000013
【手続補正５】
【補正対象書類名】図面
【補正対象項目名】図６
【補正方法】変更
【補正の内容】
【図６】
0003136743.tif 000014